(57)【要約】【課題】オーブン機能とレンジ機能を複合した加熱調理器で、調理物の出し忘れや使用直後のオーブン扉の高温注意など複数の注意報知をわかりやすくすること。【解決手段】オーブン機能とレンジ機能を有する加熱調理器において、音声発生手段９であるブザーと庫内灯５と表示手段２とを組み合わせて、報知の仕方を報知内容に応じて変えるようにした。例えば、取り出し忘れ時には従来の音声発生手段であるブザー９報知に加えて庫内灯５または表示手段２を点灯・点滅させるので、使用者にわかりやすく報知することができる。【選択図】図３
2005147465.tif 000002
【特許請求の範囲】
【請求項１】
レンジ機能とオーブン機能とを有する加熱手段と、音声を発する音声発生手段と、調理庫内を照明する庫内灯、機器の動作状況を表示する表示手段とを備えた加熱調理器において、使用者へ報知する内容に応じて、前記音声発生手段と前記庫内灯と前記表示手段との組み合わせと報知方法を異ならせて報知するようにした加熱調理器。
【請求項２】
調理物の取り出し忘れを検知する、取り出し忘れ検知手段を備え、取り出し忘れ検知手段で取り出し忘れを検知すると、音声発生手段による音声の発生と庫内灯の点灯または点滅を行うようにした請求項１記載の加熱調理器。
【請求項３】
調理庫内温度検知手段を備え、調理終了後に調理庫内温度検知手段による検知温度が所定の温度より高い場合に、音声発生手段と庫内灯と表示手段のうち少なくとも２つ以上を組み合わせて報知を行うようにした請求項１または２記載の加熱調理器。
【請求項４】
調理庫の扉の開閉を検知する開閉検知手段を備え、開閉検知手段により扉開閉を検知すると、報知の仕方を変えるようにした請求項１から３のいずれか１項記載の加熱調理器。
【請求項５】
庫内循環ファンを備え、調理終了後に調理庫内温度検知手段による検知温度が所定の温度より高い場合に、開閉検知手段による開閉を検知した後、取り出し忘れ検知手段により調理物の取り出しが検知されなければ庫内温度検知手段で検知する庫内温度が所定温度になるまで庫内循環ファンを作動させるようにした請求項２から４のいずれか１項記載の加熱調理器。
【請求項６】
調理物を検知するセンサを備え、取り出し忘れ検知手段は、開閉検知手段と調理物を検知するセンサとを組み合わせて行うことを特徴とした請求項２から５のいずれか１項記載の加熱調理器。
【発明の詳細な説明】
【技術分野】
【０００１】
本発明は、レンジ機能やオーブン機能を備えた加熱調理器の報知機能に関するものである。
【背景技術】
【０００２】
従来、調理庫内の調理物の加熱が終了してから調理庫の扉を開くまで定期的に出し忘れ報知を行なうとともに、一定時間経過後は保温動作に入り、さらに一定時間経過後には自動的に電源を切り消費電力の低減を実現している（例えば、特許文献１参照）。
【特許文献１】特開２００２−１５６１２３号公報
【発明の開示】
【発明が解決しようとする課題】
【０００３】
しかしながら上記従来の構成では、ユーザーへの報知は音のみであり、調理終了や調理物の取り出し忘れといった一連の報知については報知音の意味が明確になるが、オーブン調理後の調理庫内や扉の温度が高い時などの注意報知をする必要があるときには前記取り出し忘れ報知音とは異なるパターンで報知しなければならないが、その意味合いがユーザーには判りづらいという課題があった。
【０００４】
特に、レンジ機能とオーブン機能を備えた複合加熱調理機器でシステムキッチンなどのキャビネット下部に納められる、いわゆるビルトインタイプのものは、使用者の足元に高温化した調理庫を備えることになるが、足元にあるがために、調理終了後に調理物を取り出し忘れしたり、高温になり、扱いに注意することが必要であるが高さが低いために子供の触手などの可能性もあったりするので、使用者に報知する内容も注意を喚起するための重要な内容である。それにもかかわらず、単純な音のパターンの違いだけで報知内容を正確に伝えることは、なかなか難しかった。
【０００５】
本発明は、前記従来の課題を解決するもので、使用者に注意を喚起する報知内容をよりわかりやすく報知することのできる加熱調理器を提供することとする。
【課題を解決するための手段】
【０００６】
上記従来の課題を解決するため本発明の加熱調理器は、レンジ機能とオーブン機能とを有する加熱手段と、音声を発する音声発生手段と、調理庫内を照明する庫内灯、機器の動作状況を表示する表示手段とを備えた加熱調理器において、使用者へ報知する内容に応じて、前記音声発生手段と前記庫内灯と前記表示手段との組み合わせと報知方法を異ならせて報知するようにした。
【０００７】
これによって、音のみだけでなく庫内灯や表示手段によって視覚的に報知することができるため、意味合いの異なる報知を表現することができる。
【発明の効果】
【０００８】
以上のように本発明によれば、取り出し忘れや高温注意などの報知内容に応じて、報知方法を異ならせ、視覚的、聴覚的に表現することができるため、使用者にとって報知内容を認識しやすい加熱調理器を提供することができる。
【発明を実施するための最良の形態】
【０００９】
第１の発明は、レンジ機能とオーブン機能とを有する加熱手段と、音声を発する音声発生手段と、調理庫内を照明する庫内灯、機器の動作状況を表示する表示手段とを備えた加熱調理器において、使用者へ報知する内容に応じて、前記音声発生手段と前記庫内灯と前記表示手段との組み合わせと報知方法を異ならせて報知するようにした。
【００１０】
これにより、音声発生手段、表示手段、庫内灯をそれぞれの複数の報知方法も含めて、報知内容に応じたかたちに組み合わせて報知するので、使用者にとって、わかりやすく安全て操作しやすい加熱調理器となる。
【００１１】
第２の発明は、第１の発明の加熱調理器において、調理物の取り出し忘れを検知する、取り出し忘れ検知手段を備え、取り出し忘れ検知手段で取り出し忘れを検知すると、音声発生手段による音声の発生と庫内灯の点灯または点滅を行うようにした。
【００１２】
これにより、使用者は調理終了後も音声と同時に庫内灯の点灯または点滅により庫内に注意をむけることになり、調理物の取り忘れをより確実に防止することができる。
【００１３】
第３の発明は、第１の発明または第２の発明の加熱調理器において、調理庫内温度検知手段を備え、調理終了後に調理庫内温度検知手段による検知温度が所定の温度より高い場合に、音声発生手段と庫内灯と表示手段のうち少なくとも２つ以上を組み合わせて報知を行うようにした。
【００１４】
これにより調理終了直後で庫内温度が高く、調理物を取り出す際に注意する必要があるという内容の報知が適切に行われる。よって、使用者は調理物の取り出しに際する注意や、調理扉への接触に注意することや、庫内温度が低下してから調理物を取り出すなど、加熱調理器の安全な使用が可能となる。
【００１５】
第４の発明は、第１から第３の発明の加熱調理器において、調理庫の扉の開閉を検知する開閉検知手段を備え、開閉検知手段により扉開閉を検知すると、報知の仕方を変えるようにした。
【００１６】
これにより、扉の開閉を検知して使用者の操作があったときには、操作に応じて報知内容を変え、より適切な報知を行うことができる。
【００１７】
第５の発明は、第４の発明の加熱調理器において、庫内循環ファンを備え、調理終了後に調理庫内温度検知手段による検知温度が所定の温度より高い場合に、開閉検知手段による開閉を検知した後、取り出し忘れ検知手段により調理物の取り出しが検知されなければ庫内温度検知手段で検知する庫内温度が所定温度になるまで庫内循環ファンを作動させるようにした。
【００１８】
これにより、オーブン加熱調理時に使用する庫内循環ファンを冷却用にも使用することになり、新たな構成を取り付けずに庫内温度が高温化した際の冷却が可能となり、使用者の使い勝手がよくなる。
【００１９】
第６の発明は、第２から第５の発明の加熱調理器において、調理物を検知するセンサを備え、取り出し忘れ検知手段は、開閉検知手段と調理物を検知するセンサとを組み合わせて行うことを特徴とした。
【００２０】
これにより、より確実に取り出し忘れを検知することができるので、報知内容を適切な内容にすることが出来て、使用者の使い勝手がよくなる。
【００２１】
以下、本発明の実施の形態について図面を参照しながら説明する。
【００２２】
（実施の形態１）
図１は本発明の第１の実施の形態における加熱調理器の外観図、図２は前記加熱調理器の内部構成を示す部分断面図、図３は同加熱調理器の報知動作を示すフローチャートである。
【００２３】
図１において、加熱調理器はオーブン機能とレンジ機能を有する加熱手段（図示せず）を備えており、操作部１と、調理時間や動作状況を表示する表示手段２である表示管と、調理庫３と、調理庫扉４と、調理庫３内の照明となる庫内灯５を設けている。図２においては、加熱調理器の内部には制御部６と、調理庫３内の温度を測定する調理庫内温度検知手段７であるサーミスタと、調理庫扉の開閉を検知する扉開閉検知手段８と、音声発生手段９である報知ブザーと、調理庫３内の熱風を循環させるための庫内循環ファン１０を設けている。また、調理庫３内には調理物を載置する回転皿１１とそれを回転させるモータ１２と、モータ１２の支軸には調理物を検知するセンサ１３である重量センサが設けられており、調理物の重量を検知する構成となっている。
【００２４】
以上のように構成された加熱調理器について、以下その動作、作用を説明する。
【００２５】
図３において、ＳＴ１で調理が終了すると、ＳＴ２で音声発生手段である報知ブザー９による終了報知をおこなう。ここで、調理終了の報知は、報知ブザー９を所定回数鳴らし、表示手段２である表示管で調理終了の表示を行う。また、調理中に点灯していた庫内灯５は、点滅してから消灯する。
【００２６】
次に、ＳＴ３において、調理終了時の調理庫内温度の測定を調理庫内温度検知手段であるサーミスタ７で行う。ＳＴ４では、高温のオーブン調理などをした後では特に調理庫内温度が非常に高く、調理庫扉４を開閉する際に調理庫扉４また加熱調理器そのものの表面に接触しないように注意する必要がある場合が生じるので、このような状況であるかどうかを調理庫内温度を計測して状況を推定することとし、調理庫内温度が所定温度以上であるかどうかを判定する。庫内温度検知手段７であるサーミスタの出力が所定温度以下であれば、ＳＴ１３へ進み、庫内の調理物を取り出し忘れを検知するステップに入る。
【００２７】
ＳＴ４において調理庫内温度が所定温度以上であれば、ＳＴ５で高温であるための注意を喚起する報知を行う。ここでは、表示手段２である表示管において、「扉高温、注意」という主旨の表示を行い、庫内灯５はすぐに消灯せず、所定時間点灯または点滅を行う。なお、音声発生手段９として本実施例では報知ブザーを用いているが、「高温扉に注意」という音声を発するような手段を用いて構成し、表示や庫内灯の点灯、点滅に加えて報知してもよい。また、庫内灯５の点灯については、庫内灯５を、指向性のあるものとしたり、複数の別の部分を照らす照明で構成してある場合は、調理中の庫内灯５点灯とあきらかに異なる点灯とするため、扉付近のみを照らす点灯とするまたは、複数の照明を交互に点灯させるなどとしてもよく、単一の照明であれば、照明の照度を変更するなどして、使用者により視覚的に注意喚起できるようになる。
【００２８】
ＳＴ６では、使用者により調理物の取り出しがあったかどうかを判定する。ここで、調理物の取り出しの判定は、調理庫扉開閉検知手段８による調理庫扉の開閉が検知され、調理物検知手段１３としての重量検知センサにより、調理物を載置する回転皿１１から重量が検出されなくなったことにより、調理物の取り出しを検出する。なお、簡易な制御機構とするため、調理庫扉開閉検知手段８による開閉検知のみを調理物取り出し検出とみなす構成も可能である。ここで、調理物の取り出し、つまりは調理庫扉４の開閉が検出されると、ＳＴ７に進み、扉の開閉時に高温に注意するよう報知を行う。これは、「高温扉に注意」という注意喚起しているにもかかわらず、使用者が調理庫扉を開いているので、それまでの報知と変えて、庫内灯５の点滅周期を速くするもしくは、音声発生手段９である報知ブザーであるブザー音のトーンを高くする、などさらに、注意を促すように報知方法を変更する。このようにすることで、使用者はさらに高温扉、調理庫内、調理物に注意を払うようになる。この報知は、ＳＴ１２で調理物が回転皿１１からなくなり、重量センサ１３によって検知されなくなるか、調理庫扉開閉検知手段８により扉が開かれた後、閉じられたことが検知されると、調理物を取り出したこととみなし、ＳＴ１６の電源ＯＦＦの報知を行い、ＳＴ１７の電源ＯＦＦを行う。ＳＴ１６の電源ＯＦＦの報知は、表示手段２である表示管での表示と、庫内灯５の消灯により行う。
【００２９】
ＳＴ６において、調理物の取り出しが検出されなければ、調理庫内の温度を所定温度まで低下させるため、ＳＴ８でオーブン使用時に機能する庫内循環ファン１０を作動させる。ＳＴ９では、調理庫内温度が所定温度以下になれば、ＳＴ１０で庫内循環ファンを停止させ、ＳＴ１１において「高温扉に注意」の報知を終了して、扉温度が低くなったことを報知するようにする。この際には「扉温度低下」の表示を表示手段２である表示管で点滅表示させ、同時に調理庫内の照明も照度を下げる、または消灯するなどして、報知を行う。
【００３０】
次に、調理が終了し、または調理庫内の温度が低下したにもかかわらず、ＳＴ１３で調理物の取り出しがあるまで、所定時間待機した後ＳＴ１４で調理物の取り出しがなければ「調理物の取り出し忘れ」の報知を行う。そして、調理物が取り出されると、ＳＴ１６で電源ＯＦＦの報知を行い、ＳＴ１７の電源をＯＦＦする。
【００３１】
「調理物の取り出し忘れ」は、音声発生手段９である報知ブザーで報知するのと同時に、表示手段２の表示管での表示と庫内灯５のどちらかまたは両方を同期させて点滅する。
【００３２】
上記のように動作することで、使用者に対する操作時の注意喚起事項を、特別な報知機器を新たに取り付けることなく、視覚的な刺激も含めたかたちで内容に応じてわかりやすく報知することができるようになる。これによって、使用者に安全で操作のしやすい加熱調理器の提供ができる。また、報知の際に音だけでなく、視覚的な報知も行うことで、他の家電機器の報知と識別しやすくなる。
【００３３】
また、庫内の冷却もより速く行い、取り出しを適時に行うことができる。庫内温度が高温である間の時間を短縮できるし、報知に必要な表示手段や庫内灯の消費エネルギーを省ける。
【００３４】
なお、本実施の形態では、調理物を検知する手段として重量センサを用いたが、調理物の温度を検知する赤外線センサなどを搭載する加熱調理のあ場合は、このセンサを調理物検知手段として用いても同様の効果を奏する。
【産業上の利用可能性】
【００３５】
以上のように、本発明にかかる加熱調理器は、報知内容に応じて警告音声と庫内灯と表示手段の組み合わせと報知方法を異ならせるので、使用者に報知内容がよりわかりやすくなるので、他の調理機器にも適用できる。
【図面の簡単な説明】
【００３６】
【図１】本発明の実施の形態１における加熱調理器の外観図
【図２】同加熱調理器の要部断面図
【図３】同加熱調理器のフローチャート
【符号の説明】
【００３７】
２  表示手段である表示管
５  庫内灯
７  調理庫内温度検知手段であるサーミスタ
８  扉開閉検知手段
９  音声発生手段である報知ブザー
１０  庫内循環ファン
１３  調理物を検知するセンサである重量センサ
【図１】
2005147465.tif 000003
【図２】
2005147465.tif 000004
【図３】
2005147465.tif 000005